(57)【要約】【課題】本発明は、多量の水が管路内に一気に流入することを防止する管路の止水構造を提供する。【解決手段】本発明に係る管路の止水構造は、両端をそれぞれ止水栓４，４で閉塞した管路２の止水構造において、前記止水栓４，４で閉塞した前記管路２の閉塞空間内全体に粘性流体５を充填したものである。また、前記粘性流体５が吸水性高分子であって、吸水性高分子を吸水させた湿潤状態で、前記管路２の閉塞空間内全体に充填することが好ましい。【選択図】図１
2009011126.tif 000002
【特許請求の範囲】
【請求項１】
両端をそれぞれ止水栓で閉塞した管路の止水構造において、
前記止水栓で閉塞した前記管路の閉塞空間内全体に粘性流体を充填したことを特徴とする管路の止水構造。
【請求項２】
前記粘性流体が吸水性高分子であって、吸水性高分子を吸水させた湿潤状態で、前記管路の閉塞空間内全体に充填したことを特徴とする請求項１に記載の管路の止水構造。
【請求項３】
前記吸水性高分子を前記湿潤状態であって吸水余力を残した状態で、前記管路の閉塞空間内全体に充填したことを特徴とする請求項２に記載の管路の止水構造。
【請求項４】
前記管路内にケーブルを配設したことを特徴とする請求項１から３のいずれか１項に記載の管路の止水構造。
【請求項５】
両端をそれぞれ止水栓で閉塞した管路の止水工法において、
吸水性高分子を水と攪拌すると共に、水を吸収して湿潤状態となった吸水性高分子を、水と一緒に止水栓を貫通した注入管へ圧送して前記止水栓で閉塞した前記管路の閉塞空間内全体に充填することを特徴とする管路の止水工法。
【発明の詳細な説明】
【技術分野】
【０００１】
本発明は、両端を止水栓で閉塞した管路の止水構造、及びその止水工法に関する。
【背景技術】
【０００２】
近年、安全性、美観面から、電力ケーブル等の各種ケーブルの地中埋設化が進められている。一般的なケーブルの埋設構造について説明すると、図３に示すように、マンホール１，１間を連絡するように管路２が埋設され、その管路２内にケーブル３を挿通している。管路２のマンホール１側へ開口する両端には、止水栓４が嵌め込まれており、この止水栓４によって管路２の内面とケーブル３の外面との隙間を埋め、雨水等が管路２内を通ってマンホール１等に浸入するのを防止している（例えば、特許文献１参照）。
【特許文献１】特開２００１−１３６６４５号公報
【発明の開示】
【発明が解決しようとする課題】
【０００３】
地上を走行する自動車等の振動などにより、地中に埋設された管路２に亀裂が生じることがある。図３に示すように、亀裂の生じた部分から管路２内に多量の雨水や地下水が一気に流入すると、止水栓４がその水圧に耐えきれず崩壊し、マンホール１や変電所などに水が浸入するといった問題がある。
【０００４】
そこで、本発明は斯かる実情に鑑み、多量の水が管路内に一気に流入することを防止する管路の止水構造及びその止水工法を提供しようとするものである。
【課題を解決するための手段】
【０００５】
請求項１の発明は、両端をそれぞれ止水栓で閉塞した管路の止水構造において、前記止水栓で閉塞した前記管路の閉塞空間内全体に粘性流体を充填したものである。
【０００６】
万が一、管路に亀裂が生じその亀裂から管路内に雨水や地下水等の水が流入しようとしても、管路に充填された粘性流体によって、多量の水が管路内に一気に流入するのが防止される。また、粘性流体は管路内を流動しにくいので、管路内に流入する水の水圧（勢い）を弱めることができる。これにより、管路内に多量の水が一気に流入することによって生じる止水栓への急激な圧力上昇を抑制することができる。
【０００７】
請求項２の発明は、請求項１に記載の管路の止水構造において、前記粘性流体が吸水性高分子であって、吸水性高分子を吸水させた湿潤状態で、前記管路の閉塞空間内全体に充填したものである。
【０００８】
吸水性高分子は、（水を吸収していない）乾燥状態では粉末状の部材であり、決して粘度は高くない。しかし、吸水性高分子は、吸水して膨張するとゲル化する性質があり、ゲル化し、湿潤状態となると高い粘度を示す。管路内に湿潤状態で充填された吸水性高分子は、粘度が高く管路内を流動しにくいので、管路内に流入する水の水圧を弱めることができる。これにより、管路内に多量の水が一気に流入することによって生じる止水栓への急激な圧力上昇を抑制することができる。
【０００９】
請求項３の発明は、請求項２に記載の管路の止水構造において、前記吸水性高分子を前記湿潤状態であって吸水余力を残した状態で、前記管路の閉塞空間内全体に充填したものである。
【００１０】
このような状態で吸水性高分子を充填することによって、管路内に水が流入した場合、吸水性高分子が流入した水を吸水して膨張し、管路内の内圧が高まる。これにより、吸水性高分子がより流動しにくい状態となり、管路内に流入する水の水圧を一層低減することができる。
【００１１】
請求項４の発明は、請求項１から３のいずれか１項に記載の管路の止水構造において、前記管路内にケーブルを配設したものである。
【００１２】
ケーブルを配設した管路内に多量の水が一気に流入することによって生じる止水栓への急激な圧力上昇を抑制することができる。また、管路内全体に粘性流体（吸水性高分子）が充填されているので、シロアリ等が管路内に侵入するのを防止することができる。これにより、管路内に配設したケーブルがシロアリ等による食害の被害を受けるのを防止することが可能である。
【００１３】
請求項５の発明は、両端をそれぞれ止水栓で閉塞した管路の止水工法において、吸水性高分子を水と攪拌すると共に、水を吸収して湿潤状態となった吸水性高分子を水と一緒に止水栓を貫通した注入管へ圧送して前記止水栓で閉塞した前記管路の閉塞空間内全体に充填する方法である。
【００１４】
湿潤状態となった吸水性高分子を水と一緒に圧送することで管路内に充填しやすくなる。
【発明の効果】
【００１５】
本発明の管路の止水構造によれば、管路内に多量の水が一気に流入することによって生じる止水栓への急激な圧力上昇を抑制することができる。これにより、止水栓が崩壊するのを防止することが可能となる。
【００１６】
また、本発明の管路の止水工法によれば、管路内に吸水性高分子を充填しやすくなり、その充填作業の能率が向上する。
【発明を実施するための最良の形態】
【００１７】
以下、本発の実施の形態を添付の図面を参照して説明する。
図１は、本発明に係る管路の止水構造の全体構成を示す。図１において、１はマンホール、２は地中に埋設された管路である。管路２はマンホール１，１間を連絡するように配設されている。この管路２内にはケーブル３が挿通されている。管路２内に配設するケーブル３は、電力ケーブル、光ケーブル等の各種ケーブルを配設可能である。
【００１８】
管路２のマンホール１側へ開口した両端には、止水栓４，４が内嵌されている。止水栓４はその中央に孔部４ａを有し、その孔部４ａにケーブル３が挿通されている。この止水栓４によって、管路２の内面とケーブル３の外面との隙間を埋め、管路２の両端を閉塞している。
【００１９】
２つの止水栓４，４で閉塞した管路２の閉塞空間内の全体に、粘性流体５が充填されている。粘性流体５として、吸水性高分子を採用することが好ましい。吸水性高分子は、（水を吸収していない）乾燥状態では粉末状の部材であり、決して粘度は高くない。しかし、吸水性高分子は、吸水して膨張するとゲル化する性質があり、ゲル化して湿潤状態となると高い粘度を示す。
【００２０】
下記の表１に、湿潤状態の吸水性高分子を含む複数種類の物質の、それぞれの温度状態における粘度を比較して示す。表１に示すように、吸水性高分子は、例えば水に比べて約１００００倍もの高い粘度を有する。
【００２１】
【表１】
2009011126.tif 000003
【００２２】
そして、高粘性を示す湿潤状態の吸水性高分子を、管路２の閉塞空間内全体に充填している。この実施形態では、例えば、イソブチレン−無水マレイン酸系の吸水性高分子を使用している。
【００２３】
図１では、マンホール１，１間を１本の管路２で連絡しているが、マンホール１，１間に複数本の管路２を並設してもよい。また、ケーブルを挿通しない不使用の管路がある場合、その不使用の管路の両端に止水栓を取り付けて閉塞し、その管路の閉塞空間内全体に粘性流体を充填してもよい。
【００２４】
以下、図２を参照して本発明の管路の止水工法について説明する。
図２に示すように、ケーブル３を挿通した管路２の両端に、注入管６と空気抜き管７を配設し、止水栓４にて管路２の両端を閉塞する。止水栓４は、セメントや、ゴム製又は樹脂製の栓などの公知のものを適用可能である。注入管６と空気抜き管７は、それぞれ止水栓４を貫通して管路２の閉塞空間内と外部を連通している。
【００２５】
図の一点鎖線の枠に示した貯水タンク８、攪拌機９、ポンプ１０及び流量圧力記録計１１、図示しない発電機を地上に設置する。貯水タンク８、攪拌機９、ポンプ１０及び流量圧力記録計１１を配水ホースで接続する。また、流量圧力記録計１１から伸びる配水ホースを、マンホール１側へ突出した注入管６に接続する。
【００２６】
上記攪拌機９内に、乾燥状態の吸水性高分子を投入し、次いで、貯水タンク８に貯水された水を攪拌機９内に投入する。攪拌機９で吸水性高分子と水を攪拌し、吸水性高分子がある若干吸水して湿潤状態となったときにポンプ１０にて水と一緒に圧送する。圧送された吸水性高分子は、注入管６を通って管路２の閉塞空間内に注入される。そして、管路２の閉塞空間内全体に吸水性高分子が充填されたらポンプ１０を停止する。注入管６から上記配水ホースを外し、注入管６及び空気抜き管７を封止して、充填した吸水性高分子が外部に漏れないようにする。
【００２７】
また、注入管６を管路２の両端にそれぞれ配設し、両方の注入管６，６から吸水性高分子を管路２内に充填してもよい。
【００２８】
このように施工された本発明の止水構造において、万が一、管路に亀裂が生じその亀裂から管路内へ雨水や地下水等の水が流入しようとしても、管路に充填された吸水性高分子によって、多量の水が管路内に一気に流入するのが防止される。また、湿潤状態の吸水性高分子は、粘度が高く管路内を流動しにくいので、管路内に流入する水の水圧（勢い）を弱めることができる。これにより、管路内に多量の水が一気に流入することによって生じる止水栓への急激な圧力上昇を抑制することができる。
【００２９】
また、吸水性高分子を管路内に所定の内圧がかかる状態に充填することが好ましい。このように吸水性高分子を充填することで、吸水性高分子がより流動しにくい状態となり、管路内に流入する水の水圧を一層低減することができる。
【００３０】
また、吸水性高分子を湿潤状態であって吸水余力を残した状態で、管路内に充填してもよい。このような状態で吸水性高分子を充填することで、管路内に水が流入した場合、吸水性高分子が流入した水を吸水して膨張し、さらに管路内の内圧を高めることができる。また、管路内に充填される吸水性高分子のうちの一部が、前記吸水余力を残した状態の吸水性高分子であって、残りが完全に吸水させた状態の吸水性高分子であってもよい。
【００３１】
なお、本発明の管路の止水構造によれば、管路内全体に吸水性高分子が充填されているので、シロアリ等が管路内に侵入するのを防止することができる。これにより、管路内に配設したケーブルがシロアリ等による食害の被害を受けるのを防止することも可能である。
【００３２】
以上、本発明の一実施形態について説明したが、本発明は上述の実施形態に限定されるものではなく、本発明の要旨を逸脱しない範囲で、種々の変更を加え得ることは勿論である。管路の閉塞空間内に充填する粘性流体としては、上記吸水性高分子が好適であるが、水より粘度が高いものであれば、その他の任意の粘性流体を採用可能である。
【図面の簡単な説明】
【００３３】
【図１】本発明に係る管路の止水構造の全体構成図である。
【図２】本発明に係る管路の止水工法の説明図である。
【図３】従来の管路の止水構造の全体構成図である。
【符号の説明】
【００３４】
１    マンホール
２    管路
３    ケーブル
４    止水栓
５    粘性流体
６    注入管
７    空気抜き管
８    貯水タンク
９    攪拌機
１０  ポンプ
１１  流量圧力記録計
【図１】
2009011126.tif 000004
【図２】
2009011126.tif 000005
【図３】
2009011126.tif 000006